(57)【要約】【課題】フレキシブルプリント配線板において、接続部のコネクタに対する傾きが適正範囲内であるか否かを目視判断できるようにする。【解決手段】フレキシブルプリント配線板１は、可撓性のある基板２に導電配線３が形成されており、接続部１０がコネクタ６に接続されるようになっている。そして、フレキシブルプリント配線板１は、接続部１０のコネクタ６に対する傾きが適正範囲内であるか否かを目視判断するためのマーク７を備えている。マーク７は、それぞれ直線状をした第１の直線状マーク７１及び第２の直線状マーク７２を含んでいる。第１の直線状マーク７１は、接続部１０の所定の方向Ｐへの傾きが適正範囲の限界であるときに、コネクタ６の前面６ｂと平行になるように形成されており、第２の直線状マーク７２は、接続部１０の所定の方向と反対の方向Ｑへの傾きが適正範囲の限界であるときに、コネクタ６の前面６ｂと平行になるように形成されている。【選択図】図２
2009032737.tif 000002
【特許請求の範囲】
【請求項１】
可撓性のある基板に導電配線が形成され、前記導電配線をコネクタの導電端子に電気的に接続するために、少なくとも前記導電配線の一部により構成される接続部が前記コネクタに接続されるフレキシブルプリント配線板において、
前記接続部を前記コネクタに接続したときの前記接続部の前記コネクタに対する傾きを目視判断するためのマークを備え、
前記マークは、前記接続部の傾きが適正範囲内であるか否かを目視判断できるように形成されている、
ことを特徴とするフレキシブルプリント配線板。
【請求項２】
前記マークは、前記接続部の所定の方向への傾き、及びこの方向と反対の方向への傾きが適正範囲内であるか否かを目視判断できるように形成されている、
ことを特徴とする請求項１に記載のフレキシブルプリント配線板。
【請求項３】
前記マークは、それぞれ直線状をした第１の直線状マーク及び第２の直線状マークを含み、
前記第１の直線状マークは、前記接続部の前記所定の方向への傾きが適正範囲の限界であるときに、前記コネクタの前面と平行になるように形成されており、
前記第２の直線状マークは、前記接続部の前記反対の方向への傾きが適正範囲の限界であるときに、前記コネクタの前面と平行になるように形成されている、
ことを特徴とする請求項２に記載のフレキシブルプリント配線板。
【発明の詳細な説明】
【技術分野】
【０００１】
本発明は、可撓性のある基板に導電配線が形成されたフレキシブルプリント配線板に関するものである。
【背景技術】
【０００２】
従来から、フレキシブルプリント配線板においては、コネクタに接続して使用するタイプのものがある。このようなフレキシブルプリント配線板としては、フレキシブルプリント配線板の接続部をコネクタに真っ直ぐに接続するために、接続部がコネクタに対して傾いているか否かを目視判断するためのマークを形成したものが知られている（例えば特許文献１乃至特許文献５参照）。
【０００３】
特許文献１及び特許文献２に記載のフレキシブルプリント配線板は、図５（ａ）（ｂ）（ｃ）、図６（ａ）（ｂ）（ｃ）に示すような構成になっている。すなわち、フレキシブルプリント配線板８０は、可撓性を有する基板８１に多数の導電配線８２が形成され、導電配線８２を覆うように保護シート８３が形成されている。また、フレキシブルプリント配線板８０は、基板８１の、導電配線８２が形成されている面と反対側の面に、補強板８４が設けられている。
【０００４】
保護シート８３は、基板８１の端部には形成されておらず、導電配線８２は、基板８１の端部において露出されている（図５（ｂ）参照）。補強板８４は、基板８１の端部に設けられており、補強板８４の一部は、導電配線８２が露出されている部分と重なっており、補強板８４の残りの一部は、導電配線８２が保護シート８３により覆われている部分と重なっている。
【０００５】
導電配線８２の露出されている部分（フレキシブルプリント配線板８０の端部）は、フレキシブルプリント配線板８０をコネクタ８５に接続するための接続部９０となっており、接続部９０をコネクタ８５に挿入することにより、接続部９０がコネクタ８５に接続されて、導電配線８２がコネクタ８５の導電端子８５ａに電気的に接続される。接続部９０をコネクタ８５に接続した状態では、補強板８４は、その一部がコネクタ８５内に挿入され、残りの一部がコネクタ８５外に露出される（図５（ｃ）参照）。
【０００６】
そして、フレキシブルプリント配線板８０は、補強板８４の、接続部９０をコネクタ８５に接続したときにコネクタ８５外に露出される箇所に、接続部９０がコネクタ８５に対して傾いているか否かを目視判断するためのマーク８６が形成されている。このマーク８６は、直線状をしており、接続部９０が傾かずに真っ直ぐにコネクタ８５に接続されているときに、コネクタの前面８５ｂと平行となるように形成されている。
【０００７】
従って、このようなフレキシブルプリント配線板８０では、接続部９０をコネクタ８５に接続したときに、マーク８６がコネクタ８５の前面８５ｂと平行になっていれば（図６（ｂ）参照）、接続部９０がコネクタ８５に傾かずに真っ直ぐに接続されていると判断することができ、一方、接続部９０をコネクタ８５に接続したときに、マーク８６がコネクタ８５の前面８５ｂと平行になっていなければ（図６（ｃ）参照）、接続部９０がコネクタ８５に傾いて接続されていると判断することができる。
【０００８】
また、特許文献３に記載のフレキシブルプリント配線板では、マークは、フレキシブルプリント配線板の左右に突出する２つの標識部材から成り、接続部が傾かずに真っ直ぐにコネクタに接続されているときに、一方の標識部材の前縁とコネクタの前面との間隔と、他方の標識部材の前縁とコネクタの前面との間隔が、等しくなるように形成されている。従って、特許文献３に記載のフレキシブルプリント配線板では、一方の標識部材の前縁とコネクタの前面との間隔が他方の標識部材の前縁とコネクタの前面との間隔と等しくなっていれば、接続部がコネクタに傾かずに真っ直ぐに接続されていると判断することができ、一方の標識部材の前縁とコネクタの前面との間隔が他方の標識部材の前縁とコネクタの前面との間隔と等しくなっていなければ、接続部がコネクタに傾いて接続されていると判断することができる。
【０００９】
また、特許文献４に記載のフレキシブルプリント配線板では、マークは、２つの突起から成り、接続部が傾かずに真っ直ぐにコネクタに接続されているときに、２つの突起を結ぶ線分とコネクタの前面とが平行となるように形成されている。従って、特許文献４に記載のフレキシブルプリント配線板では、２つの突起を結ぶ線分がコネクタの前面と平行になっていれば、接続部がコネクタに傾かずに真っ直ぐに接続されていると判断することができ、２つの突起を結ぶ線分がコネクタの前面と平行になっていなければ、接続部がコネクタに傾いて接続されていると判断することができる。
【００１０】
また、特許文献５に記載のフレキシブルプリント配線板では、マークは、コネクタが実装されている基板に設けられ、接続部が傾かずに真っ直ぐにコネクタに接続されているときに、フレキシブルプリント配線板の外形とマークとが一致するように形成されている。従って、特許文献５に記載のフレキシブルプリント配線板では、フレキシブルプリント配線板の外形がマークと一致していれば、接続部がコネクタに傾かずに真っ直ぐに接続されていると判断することができ、フレキシブルプリント配線板の外形がマークと一致していなければ、接続部がコネクタに傾いて接続されていると判断することができる。
【特許文献１】特開２０００−２５２５９８号公報
【特許文献２】実開昭６３−１７２１６９号公報
【特許文献３】実開平２−１２６３８５号公報
【特許文献４】特開平７−１７００４０号公報
【特許文献５】特開平８−１４８７９２号公報
【発明の開示】
【発明が解決しようとする課題】
【００１１】
ところが、上述した従来のフレキシブルプリント配線板においては、接続部がコネクタに真っ直ぐに接続されているか否かについては、判断することができるが、接続部がコネクタに真っ直ぐに接続されていない（すなわち傾いて接続されている）場合に、その傾きが適正範囲内であるか否かについては、判断することができない。その結果、接続部の傾きが適正範囲内であり、接続部がコネクタに適正に接続されているにも関わらず、接続部を接続し直す作業を行ってしまうことがあり、作業性が悪かった。
【００１２】
本発明は、上記課題を解決するためになされたものであり、接続部のコネクタに対する傾きが適正範囲内であるか否かを目視判断することができるフレキシブルプリント配線板を提供することを目的とする。
【課題を解決するための手段】
【００１３】
上記目的を達成するために請求項１の発明は、可撓性のある基板に導電配線が形成され、導電配線をコネクタの導電端子に電気的に接続するために、少なくとも導電配線の一部により構成される接続部がコネクタに接続されるフレキシブルプリント配線板において、接続部をコネクタに接続したときの接続部のコネクタに対する傾きを目視判断するためのマークを備え、マークは、接続部の傾きが適正範囲内であるか否かを目視判断できるように形成されているものである。
【００１４】
請求項２の発明は、請求項１に記載のフレキシブルプリント配線板において、マークは、接続部の所定の方向への傾き、及びこの方向と反対の方向への傾きが適正範囲内であるか否かを目視判断できるように形成されているものである。
【００１５】
請求項３の発明は、請求項２に記載のフレキシブルプリント配線板において、マークは、それぞれ直線状をした第１の直線状マーク及び第２の直線状マークを含み、第１の直線状マークは、接続部の所定の方向への傾きが適正範囲の限界であるときに、コネクタの前面と平行になるように形成されており、第２の直線状マークは、接続部の反対の方向への傾きが適正範囲の限界であるときに、コネクタの前面と平行になるように形成されているものである。
【発明の効果】
【００１６】
請求項１の発明によれば、接続部をコネクタに接続したとき、マークによって、接続部のコネクタに対する傾きが適正範囲内であるか否かを目視判断することができる。従って、接続部がコネクタに適正範囲内で傾いて接続されている場合に、接続部がコネクタに適正に接続されているにも関わらず、接続部を接続し直す作業を行ってしまうことがなく、作業性が向上する。
【００１７】
請求項２の発明によれば、マークによって、接続部のコネクタに対する所定の方向への傾きが適正範囲内であるか否か、及び所定の方向と反対の方向への傾きが適正範囲内であるか否かを目視判断することができる。従って、より適切に接続部の傾きが適正範囲内であるか否かを判断することができ、より作業性が向上する。
【００１８】
請求項３の発明によれば、第１の直線状マークがコネクタの前面と平行になる状態、及び第２の直線状マークがコネクタの前面と平行になる状態を基準として、第１の直線状マークのコネクタの前面に対する傾き、及び第２の直線状マークのコネクタの前面に対する傾きによって、接続部の傾きが適正範囲内であるか否かを判断することができる。従って、より容易に接続部の傾きが適正範囲内であるか否かを判断することができ、より作業性が向上する。
【発明を実施するための最良の形態】
【００１９】
以下、本発明を具体化した実施形態によるフレキシブルプリント配線板について図面を参照して説明する。
＜第１の実施形態＞
図１（ａ）（ｂ）（ｃ）、図２（ａ）（ｂ）（ｃ）（ｄ）（ｅ）は、第１の実施形態によるフレキシブルプリント配線板の構成を示す。
【００２０】
フレキシブルプリント配線板１は、可撓性のある基板２と、基板２に形成された多数の導電配線３と、導電配線３を保護する保護シート４と、フレキシブル配線基板１の剛性を補強する補強板５とを備えている。また、このフレキシブルプリント配線板１は、コネクタ６に接続して使用されるようになっており、フレキシブルプリント配線板１のコネクタ６への接続状態を目視判断するためのマーク７を備えている。
【００２１】
基板２は、絶縁性材料から成り、可撓性を有するシート状に形成されている。導電配線３は、基板２の表面に所定のピッチで形成されている。保護シート４は、絶縁性材料から成り、可撓性を有するシート状に形成されており、導電配線３を覆うように基板２に重ねられている。なお、保護シート４は、基板２の端部には形成されておらず、導電配線３は、基板２の端部において露出されている（図１（ｂ）参照）。
【００２２】
補強板５は、基板２の、導電配線３が形成されている面と反対側の面に設けられている。補強板５は、基板２の端部に設けられており、補強板５の一部は、導電配線３が露出されている部分と重なっており、補強板５の残りの一部は、導電配線３が保護シート４により覆われている部分と重なっている。
【００２３】
フレキシブルプリント配線板１は、導電配線３の露出されている部分（フレキシブルプリント配線板１の端部）が、フレキシブルプリント配線板１をコネクタ６に接続するための接続部１０となっている。すなわち、フレキシブルプリント配線板１は、導電配線３をコネクタの導電端子６ａに電気的に接続するために、接続部１０がコネクタ６に接続されるようになっている。
【００２４】
接続部１０のコネクタ６への接続は、接続部１０をコネクタ６に挿入することにより行われ、これにより、導電配線３がコネクタ６の導電端子６ａに電気的に接続される。接続部１０をコネクタ６に接続した状態では、補強板５は、その一部がコネクタ６内に挿入され、残りの一部がコネクタ６外に露出される（図１（ｃ）参照）。接続部１０は、基板２の一部、導電配線３の一部、及び補強板５の一部により構成されている。
【００２５】
マーク７は、接続部１０をコネクタ６に接続したときの接続部１０のコネクタ６に対する傾きを目視判断するためのものであり、補強板５の、接続部１０をコネクタ６に接続したときにコネクタ６外に露出される箇所に形成されている。マーク７は、例えば白色のシルク印刷により形成されている。
【００２６】
このマーク７は、接続部１０をコネクタ６に接続したときの、接続部１０のコネクタ６に対する所定の方向（図２（ａ）に示すＰ方向）への傾き、及び所定の方向と反対の方向（図２（ａ）に示すＱ方向）への傾きが適正範囲内であるか否かを目視判断できるように形成されている。
【００２７】
すなわち、マーク７は、第１の直線状マーク７１及び第２の直線状マーク７２を含んでいる。第１の直線状マーク７１及び第２の直線状マーク７２は、それぞれ直線状をしており、互いに交差している。そして、第１の直線状マーク７１は、接続部１０の所定の方向（Ｐ方向）への傾きが適正範囲の限界であるときに、コネクタ６の前面６ｂと平行になるように形成されており、第２の直線状マーク７２は、接続部１０の所定の方向と反対の方向（Ｑ方向）への傾きが適正範囲の限界であるときに、コネクタ６の前面６ｂと平行になるように形成されている。なお、接続部１０の所定の方向への傾きの適正範囲の限界、及び所定の方向と反対の方向への傾きの適正範囲の限界は、それぞれ、所定の安全率を見越して定めるのが望ましい。
【００２８】
従って、接続部１０をコネクタ６に接続したときに、第１の直線状マーク７１のコネクタ６の前面６ｂに対する傾きと、第２の直線状マーク７２のコネクタ６の前面６ｂに対する傾きが等しくなっていれば（図２（ｂ）参照）、接続部１０が傾かずに真っ直ぐにコネクタ６に接続されていると判断することができる。
【００２９】
しかも、接続部１０が所定の方向に傾いてコネクタ６に接続されている場合でも、第１の直線状マーク７１がコネクタ６の前面６ｂと平行になる状態を超えていなければ（図２（ｃ）参照）、その傾きは適正範囲内であり、接続部１０がコネクタ６に適正に接続されていると判断することができる。そして、接続部１０が所定の方向に傾いてコネクタ６に接続されている場合、第１の直線状マーク７１がコネクタ６の前面６ｂと平行になっていれば（図２（ｄ）参照）、その傾きは適正範囲の限界であると判断することができ、第１の直線状マーク７１がコネクタ６の前面６ｂと平行になる状態を超えていれば（図２（ｅ）参照）、その傾きは適正範囲外であり、接続部１０がコネクタ６に適正に接続されていないと判断することができる。
【００３０】
また、接続部１０が所定の方向と反対の方向に傾いてコネクタ６に接続されている場合にも、第２の直線状マーク７２がコネクタ６の前面６ｂと平行になる状態を超えていなければ、その傾きは適正範囲内であり、接続部１０がコネクタ６に適正に接続されていると判断することができる。そして、接続部１０が所定の方向と反対の方向に傾いてコネクタ６に接続されている場合、第２の直線状マーク７２がコネクタ６の前面６ｂと平行になっていれば、その傾きは適正範囲の限界であると判断することができ、第２の直線状マーク７２がコネクタ６の前面６ｂと平行になる状態を超えていれば、その傾きは適正範囲外であり、接続部１０がコネクタ６に適正に接続されていないと判断することができる。
【００３１】
このように、本実施形態のフレキシブルプリント配線板１によれば、接続部１０をコネクタ６に接続したとき、マーク７（第１の直線状マーク７１及び第２の直線状マーク７２）によって、接続部１０のコネクタ６に対する傾きが適正範囲内であるか否かを目視判断することができる。従って、接続部１０がコネクタ６に適正範囲内で傾いて接続されている場合に、接続部１０がコネクタ６に適正に接続されているにも関わらず、接続部１０を接続し直す作業を行ってしまうことがなく、作業性が向上する。例えば、工場の組立ラインにおいては、工程のストップ時間の減少を図ることができる。
【００３２】
しかも、マーク７の第１の直線状マーク７１によって、接続部１０のコネクタ６に対する所定の方向への傾きが適正範囲内であるか否かを目視判断することができると共に、マーク７の第２の直線状マーク７２によって、接続部１０のコネクタ６に対する所定の方向と反対の方向への傾きが適正範囲内であるか否かを目視判断することができる。従って、より適切に接続部１０の傾きが適正範囲内であるか否かを判断することができ、より作業性が向上する。
【００３３】
さらに、第１の直線状マーク７１がコネクタ６の前面６ｂと平行になる状態、及び第２の直線状マーク７２がコネクタ６の前面６ｂと平行になる状態を基準として、第１の直線状マーク７１のコネクタ６の前面６ｂに対する傾き、及び第２の直線状マーク７２のコネクタ６の前面６ｂに対する傾きによって、接続部１０の傾きが適正範囲内であるか否かを判断することができる。従って、より容易に接続部１０の傾きが適正範囲内であるか否かを判断することができ、より作業性が向上する。
【００３４】
＜第２の実施形態＞
図３は、第２の実施形態によるフレキシブルプリント配線板の構成を示す。本実施形態のフレキシブルプリント配線板１は、マーク７の構成が上記第１の実施形態と異なっている。本実施形態における他の構成については、上記第１の実施形態と同様である。
【００３５】
本実施形態では、マーク７は、第１の直線状マーク７３及び第２の直線状マーク７４を含んでいる。第１の直線状マーク７３及び第２の直線状マーク７４は、それぞれ直線状をしている。但し、本実施形態では、上記第１の実施形態と異なり、第１の直線状マーク７３及び第２の直線状マーク７４は、交差していない。
【００３６】
第１の直線状マーク７３は、上記第１の実施形態と同様に、接続部１０の所定の方向（図示Ｐ方向）への傾きが適正範囲の限界であるときに、コネクタ６の前面６ｂと平行になるように形成されている。第２の直線状マーク７４は、上記第１の実施形態と同様に、接続部１０の所定の方向と反対の方向（図示Ｑ方向）への傾きが適正範囲の限界であるときに、コネクタ６の前面６ｂと平行になるように形成されている。
【００３７】
従って、本実施形態のフレキシブルプリント配線板１によれば、第１の直線状マーク７３及び第２の直線状マーク７４のコネクタ６の前面６ｂに対する傾きによって、上記第１の実施形態と同様に、接続部１０のコネクタ６に対する傾きが適正範囲内であるか否かを目視判断することができる。
【００３８】
＜第３の実施形態＞
図４は、第３の実施形態によるフレキシブルプリント配線板の構成を示す。本実施形態のフレキシブルプリント配線板１は、マーク７の構成が上記第１の実施形態と異なっている。本実施形態における他の構成については、上記第１の実施形態と同様である。
【００３９】
本実施形態では、マーク７は、第１の点状マーク７５、第２の点状マーク７６、及び第３の点状マーク７７を含んでいる。第１の点状マーク７５、第２の点状マーク７６、及び第３の点状マーク７７は、それぞれ点状をしている。
【００４０】
第１の点状マーク７５は、接続部１０の所定の方向への傾きが適正範囲内であるときに、第２の点状マーク７６及び第３の点状マーク７７よりもコネクタ６の前面６ｂに近くなるように形成されている。第２の点状マーク７６は、接続部１０の所定の方向（図示Ｐ方向）への傾きが適正範囲の限界であるときに、第２の点状マーク７６とコネクタ６の前面６ｂとの間隔が第１の点状マーク７５とコネクタ６の前面６ｂとの間隔に等しくなるように形成されている。第３の点状マーク７７は、接続部１０の所定の方向と反対の方向（図示Ｑ方向）への傾きが適正範囲の限界であるときに、第３の点状マーク７７とコネクタ６の前面６ｂとの間隔が第１の点状マーク７５とコネクタ６の前面６ｂとの間隔に等しくなるように形成されている。
【００４１】
従って、接続部１０をコネクタ６に接続したときに、第１の点状マーク７５が第２の点状マーク７６及び第３の点状マーク７７よりもコネクタ６の前面６ｂに近くなっていれば、接続部１０が傾いてコネクタ６に接続されているとしても、その傾きは適正範囲内であり、接続部１０がコネクタ６に適正に接続されていると判断することができる。そして、第２の点状マーク７６が第１の点状マーク７５よりもコネクタ６の前面６ｂに近くなっていれば、接続部１０が所定の方向に適正範囲を超えて傾いており、接続部１０がコネクタ６に適正に接続されていないと判断することができる。また、第３の点状マーク７７が第１の点状マーク７５よりもコネクタ６の前面６ｂに近くなっていれば、接続部１０が所定の方向と反対の方向に適正範囲を超えて傾いており、接続部１０がコネクタ６に適正に接続されていないと判断することができる。
【００４２】
このように、本実施形態のフレキシブルプリント配線板１によれば、第１の点状マーク７５、第２の点状マーク７６、及び第３の点状マーク７７とコネクタ６の前面６ｂとの間隔によって、接続部１０のコネクタ６に対する傾きが適正範囲内であるか否かを目視判断することができる。
【００４３】
なお、本発明は、上記各実施形態の構成に限られず、種々の変形が可能である。例えば、マークは、上記各実施形態で説明した形状に限られず、接続部の傾きが適正範囲内であるか否かを目視判断することができる形状であれば、他の形状であってもよい。また、マークは、印刷により形成されるものに限られず、凹パターンや凸パターンにより形成されるものであってもよい。また、マークは、補強板以外の箇所に形成されていてもよい。
【図面の簡単な説明】
【００４４】
【図１】（ａ）は本発明の第１の実施形態に係るフレキシブルプリント配線板の構成を示すコネクタに接続されていない状態の斜視図、（ｂ）は同フレキシブルプリント配線板の側面図、（ｃ）は同コネクタに接続されている状態の斜視図。
【図２】（ａ）は同フレキシブルプリント配線板のコネクタに接続されていない状態の平面図、（ｂ）は同コネクタに真っ直ぐに接続されている状態の平面図、（ｃ）は同コネクタに適正範囲内で傾いて接続されている状態の平面図、（ｄ）は同コネクタに適正範囲の限界に傾いて接続されている状態の平面図、（ｅ）は同コネクタに適正範囲外に傾いて接続されている状態の平面図。
【図３】本発明の第２の実施形態に係るフレキシブルプリント配線板の構成を示す平面図。
【図４】本発明の第３の実施形態に係るフレキシブルプリント配線板の構成を示す平面図。
【図５】（ａ）は従来のフレキシブルプリント配線板の構成を示すコネクタに接続されていない状態の斜視図、（ｂ）は同フレキシブルプリント配線板の側面図、（ｃ）は同コネクタに接続されている状態の斜視図。
【図６】（ａ）は従来のフレキシブルプリント配線板のコネクタに接続されていない状態の平面図、（ｂ）は同コネクタに真っ直ぐに接続されている状態の平面図、（ｃ）は同コネクタに傾いて接続されている状態の平面図。
【符号の説明】
【００４５】
１    フレキシブルプリント配線板
２    基板
３    導電配線
４    保護シート
５    補強板
６    コネクタ
６ａ    コネクタの導電端子
６ｂ    コネクタの前面
７    マーク
１０    接続部
７１    第１の直線状マーク
７２    第２の直線状マーク
７３    第１の直線状マーク
７４    第２の直線状マーク
７５    第１の点状マーク
７６    第２の点状マーク
７７    第３の点状マーク
【図１】
2009032737.tif 000003
【図２】
2009032737.tif 000004
【図３】
2009032737.tif 000005
【図４】
2009032737.tif 000006
【図５】
2009032737.tif 000007
【図６】
2009032737.tif 000008